(57)【要約】【課題】１の負荷が故障している場合でも、他の負荷に対して安定した電源の供給を行うことができる分岐付ケーブルを提供する。【解決手段】分岐付ケーブルは、一つの幹線ケーブルと、その幹線ケーブルから分岐した複数の分岐線とを有している。その分岐線の先端に、負荷側のプラグと嵌合し、その負荷側に幹線ケーブルの電源を供給するソケット１１を備えている。ソケット１１またはプラグ１２には、ヒューズ１６がコイルばね１８で挟持されている。これにより、同一系統内において、ある負荷に異常が発生した場合、その負荷と接続したソケット１１に備えたヒューズが溶断する。幹線ケーブルからその負荷への電源の供給が遮断されても、電源の遮断は当該負荷のみであり、その他の負荷には安定した電源の供給を継続することができる。【選択図】図５
2008226621.tif 000002
【特許請求の範囲】
【請求項１】
電源に接続された幹線ケーブルと、この幹線ケーブルから分岐した複数の分岐線とを備え、
これらの分岐線の先端にそれぞれ設けられたソケットに、負荷が接続されたプラグを嵌合することにより、電源を上記負荷にそれぞれ供給する分岐付ケーブルであって、
上記ソケットまたは上記プラグには、所定の値以上の電流が流れたとき、上記幹線ケーブルから負荷への電源の供給を遮断するヒューズが内蔵された分岐付ケーブル。
【請求項２】
上記ソケットまたは上記プラグの嵌合面には、上記ヒューズが挿入される挿入口が設けられた請求項１に記載の分岐付ケーブル。
【請求項３】
上記ヒューズは、上記ソケットの電極と上記プラグの電極との間に、コイルばねを介して挟持された請求項１または請求項２に記載の分岐付ケーブル。
【発明の詳細な説明】
【技術分野】
【０００１】
この発明は分岐付ケーブル、詳しくは幹線ケーブルから分岐した分岐線に複数負荷を接続して、幹線ケーブルから複数個の負荷に電源を供給する分岐付ケーブルの接続コネクタの技術に関する。
【背景技術】
【０００２】
分岐付ケーブルの用途は、電灯および動力用などがある。
この分岐付ケーブルは、一つの幹線ケーブル（１系統）とその幹線ケーブルから分岐した複数の分岐線を備えたものである。そして、その分岐線にコネクタを介して各負荷と接続することにより、電源を幹線ケーブルから各負荷に供給することができる。
例えば、特許文献１には、トンネル内の配置される照明器具に接続するプラグイン接続部が開示されている。特許文献１に記載のように、各負荷として、トンネルに設けられた照明灯等が挙げられる。または、屋内配線などにおいては、屋内の照明や家庭電化製品などである。
【０００３】
図７は、分岐付ケーブルを用いて、各負荷に電源の供給を行う回路構成を示している。図７に示す回路には、１系統の幹線ケーブル１４が設けられ、その幹線ケーブル１４にはこれから枝分かれした複数の分岐線１５が接続されている。各分岐線１５の先端には、コネクタ１３により負荷１７がそれぞれ接続されている。
また、上記分岐付ケーブルを用いて、複数個の負荷１７を備えた各系統（幹線ケーブル）に電源を供給する場合、各系統を保護するために、各幹線ケーブル１４には区分開閉器２０がそれぞれ設けられている。
【０００４】
【特許文献１】実開平５−７３８８０号公報
【発明の開示】
【発明が解決しようとする課題】
【０００５】
しかし、このような従来の構成では、ある系統内の１つの負荷に異常があった場合には、区分開閉器で電源の供給を遮断してしまう。そのため、その系統の正常な負荷を含め、すべての負荷に対する電源の供給が遮断されてしまう。すなわち、１つの負荷に異常があれば、その系統に設けられた他の負荷に対しても、電源の供給がストップしてしまう。また、点検・整備のときも同様の不具合が生じている。
そこで、本願の発明者は、分岐付ケーブル（分岐線）と負荷とを接続するコネクタであって、このコネクタにヒューズを内蔵すれば、１つの負荷に電源の供給が断たれても、幹線ケーブルから他の負荷に安定した電源を供給できることを知見し、この発明を完成させた。
【０００６】
この発明は、１つの負荷が故障している場合でも、その他の複数個の負荷に対して安定した電源の供給を行うことができる分岐付ケーブルを提供することを目的とする。
また、この発明は、点検・整備時においても、点検・整備を行っている以外の負荷に安定した電源を供給することができる分岐付ケーブルを提供することを目的とする。
【課題を解決するための手段】
【０００７】
請求項１に記載の発明は、電源に接続された幹線ケーブルと、この幹線ケーブルから分岐した複数の分岐線とを備え、これらの分岐線の先端にそれぞれ設けられたソケットに、負荷が接続されたプラグを嵌合することにより、電源を上記負荷にそれぞれ供給する分岐付ケーブルであって、上記ソケットまたは上記プラグには、所定の値以上の電流が流れたとき、上記幹線ケーブルから負荷への電源の供給を遮断するヒューズが内蔵された分岐付ケーブルである。
分岐付ケーブルの用途は限定されない。例えば、変電所からビルなどの大口需要家に高圧の電源を供給するために使用されるもの、または、トンネル照明灯に使用されるものでもよい。
幹線ケーブルは、高圧の交流を流す配電線（高圧配電線）でもよいし、低圧の交流または直流を流す配電線（低圧配電線）でもよい。
負荷は、具体的に限定されない。例えば、高速道路のトンネルに配設された照明灯でもよい。または、集合住宅に配設される電気設備でもよい。
また、上記ソケットまたはプラグは、互いに嵌合することで電気的接続を確保できるコネクタの構成要素であることを意味しており、分岐線にプラグを、負荷側にソケットを設けることを含ませるものとする。
これらソケットおよびプラグの電極（ピン）の本数も限定されない。例えば、単相３線式に対応した３本のピンを有してもよく、または３相４線式に対応した４本のピンを有してもよい。
ソケットまたはプラグに内蔵されるヒューズの種類および形状も限定されない。
また、このコネクタに設けられるヒューズの本数も限定されない。単相３線式の場合は、短絡線以外の少なくとも１本でもよい。
さらに、ヒューズの種類、その定格遮断電流の値も限定されない。
【０００８】
請求項１に記載の分岐付ケーブルにあっては、分岐付ケーブルには、ある系統の一つの幹線ケーブルと、その幹線ケーブルから枝分かれに分岐した複数の分岐線とが設けられている。そして、分岐された分岐線の先端には、負荷側のプラグと嵌合し、その負荷側に幹線ケーブルを介して電源を供給するソケットが配設されている。そして、これらのソケットまたはプラグには、ヒューズが内蔵されている。
これにより、同一系統内において、ある負荷に異常が発生した場合、大電流が流れると、コネクタに配設されたヒューズが溶断し、幹線ケーブルからその負荷への電源の供給が遮断される。しかし、電源供給の遮断は当該負荷のみであり、その他の負荷には安定した電源の供給を継続することができる。
【０００９】
請求項２に記載の発明は、上記ソケットまたは上記プラグの嵌合面には、上記ヒューズが挿入される挿入口が設けられた請求項１に記載の分岐付ケーブルである。
【００１０】
請求項２に記載の分岐付ケーブルにあっては、上記ヒューズはソケットまたはプラグに内蔵することができ、または、ソケットとプラグとの嵌合面に配設することもできる。この場合、その嵌合面に挿入口を形成し、この挿入口にヒューズを挿入可能とする。これにより、点検・整備時において、ヒューズの取り付け、取り外しがきわめて容易になる。そして、点検する負荷に電源を供給せず、その他の負荷には電源が供給される状態にすることができる。
【００１１】
請求項３に記載の発明は、上記ヒューズは、上記ソケットの電極と上記プラグの電極との間に、コイルばねを介して挟持された請求項１または請求項２に記載の分岐付ケーブルである。
【００１２】
請求項３に記載の分岐付ケーブルにあっては、ヒューズは、上記ソケットの電極と上記プラグの電極との間に配設されたコイルばねでこれらの電極の間に挟持される。このコイルばねでヒューズを付勢することにより、ヒューズと電極との接触が確実・容易になる。また、１のコネクタにあって異なる長さの複数種のヒューズを装着することができる。
【発明の効果】
【００１３】
この発明によれば、分岐付ケーブルには、一つの幹線ケーブル（１系統）と、その幹線ケーブルから枝分かれした複数の分岐線とが設けられている。そして、分岐された各分岐線の先端には、負荷側のプラグと嵌合し、その負荷側に幹線ケーブルの電源を供給するソケットが配設されている。そして、これらのソケットまたはプラグには、ヒューズが内蔵されている。
これにより、同一系統内において、ある負荷に異常が発生した場合、その負荷と接続したソケットまたはプラグに備えたヒューズが過大電流により溶断し、幹線ケーブルからその負荷への電源の供給が遮断される。しかし、電源の遮断は当該負荷のみであり、その他の負荷には電源の供給を継続することができる。
【実施例１】
【００１４】
以下、この発明の一実施例を、図１〜図６を参照して説明する。
本実施例では、トンネル内の照明用に用いられる分岐付きケーブルについて説明する。
まず、図１を参照して、分岐付ケーブルを用いた全体構成について説明する。図１に示すように、この分岐付ケーブルには、主要な電源からの電流を流す幹線ケーブル１４が配設されている。
この幹線ケーブル１４は、枝分かれして配設された複数の分岐線１５を備えている。これら複数の分岐線１５には、コネクタ１３を介して、複数のトンネル用の照明灯１７（負荷）がそれぞれ接続されている。
負荷としてトンネル用の照明灯１７が用いられている。すなわち、トンネルの内壁面に幹線ケーブル１４がトンネルの連続する方向に沿って固定されて設けられ、この幹線ケーブル１４から、トンネル内壁面に同方向に所定間隔を有して設けられた複数個の照明灯（蛍光灯など）１７が分岐して配設されている。
【００１５】
次に、分岐付ケーブルのコネクタ１３の構成について説明する。
図１に示すように、幹線ケーブル１４から枝分かれした分岐線１５と負荷（照明灯）１７とはコネクタ１３で接続される。これにより、幹線ケーブル１４に接続された電源からの電力がコネクタ１３を介して各負荷１７側に供給されることとなる。
各コネクタ１３は、分岐線１５の先端に接続されたソケット１１と、負荷１７に接続されたプラグ１２とで構成されている。ソケット１１はプラグ１２に嵌合される構成である。ソケット１１にプラグ１２を嵌合すれば、幹線ケーブル１４からの電源電力を照明灯１７に供給することができる。
また、図１に示すように、上記負荷１７側のプラグ１２としては、負荷１７自体に備えられているタイプ（直結タイプ）がある。また、負荷１７から配線を通じてその先端に設けられているタイプ（中間接続タイプ）もある。
【００１６】
次に、本願発明に係る分岐付ケーブルのコネクタ１３の詳細について説明する。
図２に示すように、ソケット１１の本体（モールドソケット）は（合成樹脂または合成ゴム）で形成されている。
図３（ｂ）に示すように、このソケット１１の嵌合面には、単層３線式の場合で、プラグ１２との間で電気的接続を行う３つの電極部を備えている。３つの電極部のうち、１つは信号用の電極部３１であり、残り２つは信号用の電極部３２および短絡用の電極部３３である。
【００１７】
上記１つの信号用の電極部３１には、ヒューズ１６を埋め込み挿入可能な挿入穴２５が設けられている。その挿入穴２５の奥側には、全面がニッケル等でめっきされた電源側電極（ピン）２１が埋設されている。
図３（ａ）に示すように、金属製の電源側電極２１は、電源側ケーブルのピン２６に接続された第１の円筒体と、これに連続して挿入穴２５の奥底に突出する第２の円柱体と、これらの第１の円筒体、第２の円柱体より大径のフランジ部とで構成されている。この電源側の電極２１は、その全面がニッケル等でめっきされている。
一方、他の信号用電極部３３および短絡用の電極部３２には、全面がニッケル等でめっきされたソケットタイプの電源側電極が埋設されている。なお、これら電極部３１，３２，３３はいずれもケーブル中の心線にピン２６を介して電気的に接続されていることはもちろんである。
すなわち、モールドソケット１１の電源側には、分岐線１５のケーブルが埋設されている。モールドソケット１１の本体において、分岐線１５のケーブルの３本の心線は枝分かれして、それぞれ３本の円柱体であるピン２６に電気的に接続されている。３本のピン２６はソケット１１のモールドされた本体に埋め込まれて固定されている。
【００１８】
一方、図４（ａ），（ｂ）に示すように、プラグ１２は、上記ソケット１１と同様にその本体（モールドプラグ）が合成樹脂または合成ゴムで形成されている。特に、図４（ｂ）に示すように、そのプラグ１２の嵌合面には、上記ソケット１１との電気的接続を行う３つの電極部が設けられている。
３つの電極部のうち、１つの信号用の電極部４１の挿入穴２５には、上記ソケット１１に埋め込まれたヒューズ１６の一方の電極を挿入して、これを支持するプラグ側電極２３が配設されている。プラグ側電極２３は、上記ヒューズ１６の電極部を嵌め込み可能な大きさを有する円筒体をその嵌合面側に備えている。このプラグ側電極２３は、その全面がニッケルでめっきされている。
また、他の信号用の電極部４３および短絡用の電極部４２には、上記ソケット１１側の電源側電極２１に対し、嵌め込んで挿入する嵌め込みピン２４がそれぞれ配設されている。
また、プラグ１２の負荷１７側には、負荷１７からのケーブルが埋設されている。モールドプラグ本体において、分岐線１５のケーブルの３本の心線は枝分かれして、それぞれ上記プラグ側電極２３、ピン２４と埋設したピン２７を介して電気的に接続されている。
そして、図５に示すように、これらのソケット１１とプラグ１２とが嵌合されて分岐ケーブルと負荷とが電気的接続されることとなる。この際、これらのソケット１１とプラグ１２との各嵌合面に形成された挿入穴２５同士によりヒューズ１６がコイルばね１８を介して挿入される挿入口が形成されることとなる。
【００１９】
次に、図５を参照して、本願発明に係る分岐付ケーブルの使用方法について説明する。
まず、その素材が高導電性で、かつ、ばね性に優れたベリリウム銅などで形成されたコイルばね１８（所定径のスプリング）を準備する。そのコイルばね１８を、上記電源側電極２１の第２の円柱体をそのコイルばね１８のなかに挿入しながら、上記大径フランジ部の側面に当接させる。
この後、管形のヒューズ１６を準備する。管形ヒューズ１６は定格電流が２Ａのものを使用する。次いで、その管形ヒューズ１６を上記ソケット１１の嵌合面であって、信号用電極部に設けられた挿入穴２５より挿入する。これにより、ヒューズ１６はモールドソケット１１内において、コイルばね１８により付勢されてその挿入穴２５より出没自在に支持される。
そして、信号線と短絡線とのピンの配置を合わせながら、ソケット１１とプラグ１２とを嵌合する。モールドソケットに埋め込まれ、コイルばね１８により支持されているヒューズ１６は、プラグ１２に埋め込まれた負荷１７側電極の筒体の内部に嵌め込まれる。これにより、分岐線１５のソケット１１と負荷１７のプラグ１２とが電気的に接続される。すなわち、幹線ケーブル１４からの電源が負荷１７側に供給可能となる。
電極間にコイルばね１８を用いてヒューズ１６を挟持するように構成すれば、異なる長さを有するヒューズ１６を装着することができる。
【００２０】
そして、ある負荷１７に所定の電流値以上の電流が流れたとき、コイルばね１８を介して過大電流（異常電流）が流れソケット１１の挿入穴２５に内蔵されたヒューズ１６内のヒューズエレメントが溶断する。これにより、上記幹線ケーブル１４から負荷１７への電源の供給が遮断される。
しかし、負荷１７への電源の供給が遮断されるのは、異常電流が流れた負荷１７のみである。その他の負荷１７には、幹線ケーブル１４から安定した電源が供給される。すなわち、ある幹線ケーブル１４に分岐して設けられた負荷１７の１つに異常があった場合でも、その他の負荷１７への電源の供給がストップされない。
【００２１】
また、ある負荷１７について、個別に点検・整備したいときに、上記ソケット１１の挿入穴２５に設けられるヒューズ１６を取り外した状態で、ソケット１１とプラグ１２とを嵌合する。ソケット１１のヒューズ１６が装着されていないので、ソケット１１とプラグ１２との電気的接続が断たれる。
これにより、ある負荷１７については点検・整備の状態であっても、その他の負荷１７に対しては安定した電源の供給を行うことができる。
【００２２】
図６は、この実施例での他の態様を示す。
これは、負荷１７に対してケーブルを介することなく直接にソケット１１を接続する場合である。この負荷１７側に上記ヒューズ１６を受ける電極を設けることができない場合が生じる。
そこで、図６に示すように、ヒューズ１６を、コイルばね１８を用いて、上記ソケット１１のなかに埋め込み可能に設けることができる。これにより、負荷１７の端子に直結するタイプのソケット１１であっても、ヒューズ１６を内蔵することができる。そして、その負荷１７が異常時、または点検・整備時においても、他の負荷１７に安定した電源を供給することができる。
図６はプラグ端子が負荷１７に直接形成された例である。
【図面の簡単な説明】
【００２３】
【図１】この発明の一実施例に係る分岐付ケーブルの全体の構成を示す斜視図である。
【図２】この発明の一実施例に係る分岐付ケーブルのコネクタの構成を示す正面図である。
【図３】この発明の一実施例に係る分岐付ケーブルのソケットの構成を示す断面図である。
【図４】この発明の一実施例に係る分岐付ケーブルのプラグの構成を示す断面図である。
【図５】この発明の一実施例に係る分岐付ケーブルのソケットとプラグとの嵌合状態を示す断面図である。
【図６】この発明の一実施例に係る分岐付ケーブルのヒューズ内蔵の別形態を示す断面図である。
【図７】従来に係る分岐付ケーブルの回路構成を示す回路図である。
【符号の説明】
【００２４】
１１  ソケット
１２  プラグ、
１３  コネクタ、
１４  幹線ケーブル、
１５  分岐線、
１６  ヒューズ、
１７  負荷（照明灯）、
１８  コイルばね、
２５  挿入穴。
【図１】
2008226621.tif 000003
【図２】
2008226621.tif 000004
【図３】
2008226621.tif 000005
【図４】
2008226621.tif 000006
【図５】
2008226621.tif 000007
【図６】
2008226621.tif 000008
【図７】
2008226621.tif 000009